(57)【要約】【課題】シールド付フラットケーブルの信号線の接続とシールド部材の接続を簡単に行うこと。【解決手段】コネクタハウジング５０と、コネクタハウジングの後端面から圧接刃６２が露出するメス端子６０と、コネクタハウジングの後端面に装着されたバスバープレート７０と、シールド付フラットケーブル、端子の圧接刃、及びバスバーをコネクタハウジングの後端面との間に介在させた状態で、コネクタハウジングの後端面を覆うようにコネクタハウジングに装着され、装着時の押圧力により、シールド付フラットケーブルの信号線Ｗａ１を絶縁体Ｗａ２を貫通する圧接刃に圧接させ、シールド部材Ｗｂをバスバーに接触させ、電線被覆Ｗｃの付いた部分をコネクタハウジングとの間で保持固定するカバー８０と、を有する。【選択図】図５
2014203714.tif 000002
【特許請求の範囲】
【請求項１】
信号線の周囲が絶縁体によって覆われ、その外側がシールド部材によって覆われ、更にその外側が電線被覆によって覆われたシールド付フラットケーブルに接続されるコネクタであって、
コネクタハウジングと、
前記コネクタハウジングの後端面から圧接刃が露出するように前記コネクタハウジングに収容される端子と、
前記コネクタハウジングの後端面に装着され、アース回路に接続されるバスバーと、
前記シールド付フラットケーブル、前記端子の圧接刃、及び前記バスバーを前記コネクタハウジングの後端面との間に介在させた状態で、前記コネクタハウジングの後端面を覆うように該コネクタハウジングに装着され、装着時の押圧力により、前記シールド付フラットケーブルの信号線を前記絶縁体を貫通する前記圧接刃に圧接させ、前記シールド付フラットケーブルから露出したシールド部材を前記バスバーに接触させるカバーと、
を備え、
前記カバーに、前記シールド付フラットケーブルを保持固定するケーブル固定部が設けられていることを特徴とするコネクタ。
【請求項２】
前記カバーに、前記ケーブル固定部として、前記カバーが前記コネクタハウジングに装着された際に、前記コネクタハウジングとの間に前記シールド付フラットケーブルの電線被覆の付いた部分を挟持固定するケーブル挟持部が設けられていることを特徴とする請求項１に記載のコネクタ。
【請求項３】
前記カバーに、前記ケーブル固定部として、前記カバーが前記コネクタハウジングに装着された際に、前記シールド付フラットケーブルから露出したシールド部材を前記バスバーに押圧接触させると同時に該バスバーとの間に前記シールド付フラットケーブルを挟持固定するケーブル挟持部が設けられていることを特徴とする請求項１に記載のコネクタ。
【請求項４】
前記カバーは、
前記シールド付フラットケーブル、前記端子の圧接刃、及び前記バスバーを前記コネクタハウジングの後端面との間に介在させた状態で、前記コネクタハウジングの後端面を覆うように該コネクタハウジングに装着され、装着時の押圧力により、前記シールド付フラットケーブルの信号線を前記絶縁体を貫通する前記圧接刃に圧接させ、前記シールド付フラットケーブルから露出したシールド部材を前記バスバーに接触させる第１のカバー体と、
前記第１のカバー体に装着される第２のカバー体と、
を有し、
前記第１のカバー体と第２のカバー体との間に、前記ケーブル固定部として、該第２のカバー体を前記第１のカバー体に装着した際に、前記第１のカバー体と前記第２のカバー体との間に前記シールド付フラットケーブルの電線被覆の付いた部分を挟持固定するケーブル挟持部が設けられていることを特徴とする請求項１に記載のコネクタ。
【請求項５】
前記カバーに、前記第１のカバー体と前記第２のカバー体とを連結するヒンジ部が設けられていることを特徴とする請求項４に記載のコネクタ。
【発明の詳細な説明】
【技術分野】
【０００１】
本発明は、信号線の周囲を絶縁体で被覆し、その外側をシールド部材で覆ったシールド付フラットケーブルに接続されるコネクタに関するものである。
【背景技術】
【０００２】
信号線の周囲を絶縁体で被覆し、その外側をシールド部材で覆ったシールド付フラットケーブルが知られている（特許文献１参照）。この種のシールド付フラットケーブルの端末にコネクタを取り付ける場合、シールド付フラットケーブルの信号線にコネクタの信号用端子を接続し、シールド部材にコネクタ側のＧＮＤ用部材（例えば、ＧＮＤ端子やシールドシェル等のアース接続される部材）を接続する必要がある。
【先行技術文献】
【特許文献】
【０００３】
【特許文献１】特開２００８−４４６４号公報
【発明の概要】
【発明が解決しようとする課題】
【０００４】
従来、シールド付フラットケーブルのシールド部材をコネクタ側のＧＮＤ用部材であるシールドシェルに接続する場合は、シールド付フラットケーブルの信号線とコネクタの信号用端子を接続するのとは別に、シールド部材をシールドシェルに接続する必要があるので、接続に多くの工数を要するという課題があった。また例えば、シールド付フラットケーブルのシールド部材をコネクタ側のＧＮＤ端子に接続する場合は、特許文献１に記載のように、予め、シールド付フラットケーブルの導体の１つをドレイン線（ＧＮＤ線）として確保し、そのドレイン線にシールド部材を導通させておく必要があり、構成が複雑化するという課題があった。
【０００５】
本発明は、上述した事情に鑑みてなされたものであり、その目的は、シールド付フラットケーブルの信号線の接続とシールド部材の接続を簡単に行うことのできるコネクタを提供することにある。
【課題を解決するための手段】
【０００６】
前述した目的を達成するために、本発明に係るコネクタは、下記（１）〜（５）を特徴としている。
（１）  信号線の周囲が絶縁体によって覆われ、その外側がシールド部材によって覆われ、更にその外側が電線被覆によって覆われたシールド付フラットケーブルに接続されるコネクタであって、
コネクタハウジングと、
前記コネクタハウジングの後端面から圧接刃が露出するように前記コネクタハウジングに収容される端子と、
前記コネクタハウジングの後端面に装着され、アース回路に接続されるバスバーと、
前記シールド付フラットケーブル、前記端子の圧接刃、及び前記バスバーを前記コネクタハウジングの後端面との間に介在させた状態で、前記コネクタハウジングの後端面を覆うように該コネクタハウジングに装着され、装着時の押圧力により、前記シールド付フラットケーブルの信号線を前記絶縁体を貫通する前記圧接刃に圧接させ、前記シールド付フラットケーブルから露出したシールド部材を前記バスバーに接触させるカバーと、
を備え、
前記カバーに、前記シールド付フラットケーブルを保持固定するケーブル固定部が設けられていること。
（２）  上記（１）の構成のコネクタにおいて、
前記カバーに、前記ケーブル固定部として、
前記カバーが前記コネクタハウジングに装着された際に、前記コネクタハウジングとの間に前記シールド付フラットケーブルの電線被覆の付いた部分を挟持固定するケーブル挟持部が設けられていること。
（３）  上記（１）の構成のコネクタにおいて、
前記カバーに、前記ケーブル固定部として、
前記カバーが前記コネクタハウジングに装着された際に、前記シールド付フラットケーブルから露出したシールド部材を前記バスバーに押圧接触させると同時に該バスバーとの間に前記シールド付フラットケーブルを挟持固定するケーブル挟持部が設けられていること。
（４）  上記（１）の構成のコネクタにおいて、
前記カバーは、
前記シールド付フラットケーブル、前記端子の圧接刃、及び前記バスバーを前記コネクタハウジングの後端面との間に介在させた状態で、前記コネクタハウジングの後端面を覆うように該コネクタハウジングに装着され、装着時の押圧力により、前記シールド付フラットケーブルの信号線を前記絶縁体を貫通する前記圧接刃に圧接させ、前記シールド付フラットケーブルから露出したシールド部材を前記バスバーに接触させる第１のカバー体と、
前記第１のカバー体に装着される第２のカバー体と、
を有し、
前記第１のカバー体と第２のカバー体との間に、前記ケーブル固定部として、該第２のカバー体を前記第１のカバー体に装着した際に、前記第１のカバー体と前記第２のカバー体との間に前記シールド付フラットケーブルの電線被覆の付いた部分を挟持固定するケーブル挟持部が設けられていること。
（５）  上記（４）の構成のコネクタにおいて、
前記カバーに、前記第１のカバー体と前記第２のカバー体とを連結するヒンジ部が設けられていること。
【０００７】
上記（１）の構成のコネクタによれば、コネクタハウジングにカバーを装着するという一つの作業を行うだけで、端子と信号線の接続、バスバーとシールド部材の接続を同時に一括して行うことができる。従って、コネクタとシールド付フラットケーブルの接続作業の工数を大幅に減らすことができる。また、シールド部材は、カバー装着時に、コネクタハウジングの後端面に装着したバスバープレート（ＧＮＤ用部材に相当）に接触するので、カバーの装着前にシールド付フラットケーブルのシールド部材を露出させておくだけでよく、構成を単純化することができる。また、シールド部材をバスバーに接触させる部分でシールド付フラットケーブルに固定力を及ぼすことが可能である上、その部分とは別に、カバーに設けたケーブル固定部によってシールド付フラットケーブルを保持固定することができるので、フラットケーブルと端子の圧接接続部分に外力が及ぶのを極力防ぐことができる。
上記（２）の構成のコネクタによれば、カバーをコネクタハウジングに装着した際に、カバーに設けられたケーブル挟持部が、シールド付フラットケーブルの電線被覆の付いた部分をコネクタハウジングとの間に挟持固定するので、カバーの装着と同時にシールド付フラットケーブルを強固に保持固定することができる。従って、圧接部分に無用な外力が及ぶのを防ぐことができる。
上記（３）の構成のコネクタによれば、シールド部材をバスバーに押圧接触させる部分がケーブル挟持部となっているので、カバーをコネクタハウジングに装着することにより、シールド部材をバスバーに押圧接触させると同時にシールド付フラットケーブルをカバーとバスバーとの間に挟持固定することができる。従って、圧接部分に無用な外力が及ぶのを防ぐことができる。
上記（４）の構成のコネクタによれば、第１のカバー体をコネクタハウジングに装着することによって、端子と信号線の接続、バスバーとシールド部材の接続を同時に一括して行うことができる。また、その上で、第１のカバー体に第２のカバー体を装着することで、ケーブル挟持部によってシールド付フラットケーブルを挟持固定することができるので、圧接部分に無用な外力が及ぶのを防ぐことができる。
上記（５）の構成のコネクタによれば、第１のカバー体と第２のカバー体をヒンジ部を介して連結したので、第１のカバーと第２のカバーを１部品として成形することができ、１部品として取り扱うことができる。
【０００８】
前述した目的を達成するために、本発明に係るコネクタとシールド付フラットケーブルの接続構造は、下記（６）を特徴としている。
（６）  上記（１）のコネクタをシールド付フラットケーブルに接続したコネクタとシールド付フラットケーブルの接続構造であって、
前記シールド付フラットケーブルの電線被覆を、該シールド付フラットケーブルの厚み方向において前記バスバーとシールド部材を接触させる側の半体だけ切除して、その反対側の半体を前記圧接刃が圧接する位置まで残しておき、しかも、前記圧接刃が圧接する位置のシールド部材は除去し、前記バスバーと接触させる部分で前記シールド部材を露出させ、
前記シールド付フラットケーブル、前記端子の圧接刃、及び前記バスバーを前記コネクタハウジングの後端面との間に介在させた状態で、前記コネクタハウジングの後端面を覆うようにコネクタハウジングにカバーを装着し、装着時の押圧力により、前記圧接刃を前記シールド付フラットケーブルの絶縁体及び電線被覆の半体を貫通させて信号線に圧接接続し、且つ、前記シールド付フラットケーブルから露出したシールド部材を前記バスバーに接触させ、その状態で、前記カバーに設けたケーブル固定部により、前記シールド付フラットケーブルを保持固定したこと。
【０００９】
上記（６）の構成のコネクタとシールド付フラットケーブルの接続構造によれば、上記（１）の構成のコネクタを使用するので、同コネクタの作用効果を得ることができる。また特に、圧接刃が信号線に圧接する部分に電線被覆の半体を残しているので、圧接刃が絶縁体及び電線被覆に同時に突き刺さることになり、圧接刃とシールド付フラットケーブルの結合が強固になる。
【発明の効果】
【００１０】
本発明によれば、コネクタハウジングにカバーを装着するという一つの作業を行うだけで、端子と信号線の接続、バスバーとシールド部材の接続を同時に一括して行うことができる。従って、コネクタとシールド付フラットケーブルの接続作業の工数を大幅に減らして、組立効率のアップを図ることができる。また、バスバーであるＧＮＤ用部材との接続のためにシールド部材を露出させておくだけでよいので、アース接続のための構成が複雑化しない。また、カバーに設けたケーブル固定部によってシールド付フラットケーブルを保持固定することができるので、圧接部分に外力が及ぶのを防止することができる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、本発明の第１実施形態のコネクタを含むコネクタ装置の分解斜視図である。
【図２】図２は、本発明の第１実施形態のコネクタのコネクタハウジングにバスバーと端子を組み付けた状態を背面から見て示す斜視図である。
【図３】図３は、本発明の第１実施形態のコネクタの構成部品であるカバーの斜視図である。
【図４】図４（ａ）から図４（ｃ）は、本発明の第１実施形態のコネクタで使用するシールド付フラットケーブルの端末処理部の構成を示す斜視図で、図４（ａ）は外観図、図４（ｂ）はその一部拡大図、図４（ｃ）は上方から見た図である。
【図５】図５は、図２で示した本発明の第１実施形態のコネクタのコネクタハウジングの後端面にカバーを装着してコネクタを完成させた状態を示す断面図である。
【図６】図６は、図５のＶＩ部の拡大図である。
【図７】図７は、端子の後端の圧接刃が、電線被覆及びシールド部材を除去して露出させたフラットケーブル本体に圧接接続している状態を示す部分拡大図で、圧接刃が絶縁体を突き抜けて信号線である導体に接触している状態を示す図である。
【図８】図８は、本発明の第１実施形態のコネクタを接続相手側の基板側コネクタに接続した状態を示す外観斜視図である。
【図９】図９は、図８の状態を示す縦断面図である
【図１０】図１０は、本発明の第２実施形態のコネクタを含むコネクタ装置の分解斜視図である。
【図１１】図１１は、本発明の第２実施形態のコネクタのコネクタハウジングにバスバーと端子を組み付けた状態を背面から見て示す斜視図である。
【図１２】図１２は、本発明の第２実施形態のコネクタの構成部品であるカバーの斜視図である。
【図１３】図１３（ａ）から図１３（ｃ）は、本発明の第２実施形態のコネクタで使用するシールド付フラットケーブルの端末処理部の構成を示す斜視図で、図１３（ａ）は外観図、図１３（ｂ）はその一部拡大図、図１３（ｃ）は上方から見た図である。
【図１４】図１４は、図１１で示した第２実施形態のコネクタのコネクタハウジングの後端面にカバーを装着してコネクタを完成させた状態を示す断面図である。
【図１５】図１５は、図１４のＸＶ部の拡大図である。
【図１６】図１６は、本発明の第２実施形態のコネクタを接続相手側の基板側コネクタに接続した状態を示す外観斜視図である。
【図１７】図１７は、図１６の状態を示す縦断面図である。
【図１８】図１８（ａ）及び図１８（ｂ）は、本発明の第１実施形態または第２実施形態のコネクタで使用するシールド付フラットケーブルの端末処理部の他の構成例を示す図で、電線被覆Ｗｃを半周皮むきして半体だけ残す場合を示しており、図１８（ａ）は皮むきする前の状態の側面図及び断面図、図１８（ｂ）は皮むきした状態を示す側面図及び各部の断面図である。
【発明を実施するための形態】
【００１３】
以下、本発明の実施形態を図面を参照して説明する。
＜第１実施形態＞
図１〜図９は第１実施形態の説明図で、図１は第１実施形態のコネクタを含むコネクタ装置の分解斜視図、図２は第１実施形態のコネクタハウジングにバスバーと端子を組み付けた状態を背面から見て示す斜視図、図３はコネクタの構成部品であるカバーの斜視図、図４（ａ）から図４（ｃ）はコネクタで使用するシールド付フラットケーブルの端末処理部の構成を示す斜視図で、図４（ａ）は外観図、図４（ｂ）はその一部拡大図、図４（ｃ）は上方から見た図、図５は図２で示したコネクタハウジングの後端面にカバーを装着してコネクタを完成させた状態を示す断面図、図６は図５のＶＩ部の拡大図、図７は前記端子の後端の圧接刃が、電線被覆及びシールド部材を除去して露出させたフラットケーブル本体に圧接接続している状態を示す部分拡大図で、圧接刃が絶縁体を突き抜けて信号導体（信号線）に接触している状態を示す図、図８は第１実施形態のコネクタを接続相手側の基板側コネクタに接続した状態を示す外観斜視図、図９は図８の状態を示す縦断面図である。
【００１４】
図１に示すコネクタ装置は、互いに嵌合する基板側コネクタ（レセプタクル）１と第１実施形態のケーブル側コネクタ２とから成る。基板側コネクタ１は回路基板３に固定されるもの、ケーブル側コネクタ２はシールド付フラットケーブルＷの端末に取り付けられるものであり、このコネクタ装置を用いることで、シールド付フラットケーブルＷを回路基板３に電気接続することができる。
【００１５】
基板側コネクタ１は、樹脂製のオスハウジング１０と、オスハウジング１０に圧入される複数のオス端子１８と、オスハウジング１０を回路基板３に固定するためにオスハウジング１０に圧入固定される一対の金属板製のペグ２０とから成る。ペグ２０は、図９に示すように、回路基板３のペグ用スルーホール５に挿入されて半田付けにより固定されることで、基板側コネクタ１を回路基板３に固定すると同時に回路基板３のアース回路に接続されるものである。
【００１６】
オスハウジング１０は、ケーブル側コネクタ２のメスハウジング５０が嵌合される嵌合穴１１ａ（図９参照）を備えたハウジング本体部１１と、その後端（下端）側に一体化された左右一対の固定ブロック部１２とを有し、オス端子１８は、ハウジング本体部１１に圧入されることで、一端側が嵌合穴１１ａ内に突出し、他端側が固定ブロック部１２の後端（下端）よりも後側（下側）に突出している（図示省略）。また、図１に示すように、ハウジング本体部１１の外側面には、ケーブル側コネクタ２のメスハウジング５０と嵌合した際に、メスハウジング５０のロックアーム５６とロックするロック突起１６が設けられている。
【００１７】
ここで、前側（上側）とは、相手側コネクタであるケーブル側コネクタ２と嵌合する側であり、回路基板３に固定するときに上側となる側と定義する。また、後側（下側）とは、相手側コネクタであるケーブル側コネクタ２と嵌合する際に嵌合側と反対側であり、回路基板３に固定するときに下側となる側と定義する。
【００１８】
左右の固定ブロック部１２の外側面には、前後方向（上下方向）に延びるペグ取付スロット１３が形成され、このペグ取付スロット１３に、前側（上側）から後側（下側）に向けてペグ２０が先端側から圧入されている。
【００１９】
ペグ２０の先端側は、図９に示すように、回路基板３のペグ用スルーホール５に挿入される部分である。ペグ２０の基端側は、圧入後にペグ取付スロット１３に入らずに外側（上側）に残る部分であり、この基端側の外側面が、基板側コネクタ１とケーブル側コネクタ２とを嵌合したときに、ケーブル側コネクタ２に設けられたアース用のバスバープレート（バスバー）７０が接触導通する部分となっている。
【００２０】
一方、第１実施形態のコネクタとしてのケーブル側コネクタ２は、図１に示すように、樹脂製のメスハウジング（コネクタハウジング）５０と、メスハウジング５０の端子挿入孔５４に挿入される多数のメス端子６０と、メスハウジング５０の後部に装着されるバスバープレート（バスバー）７０と、バスバープレート７０の後側からメスハウジング５０の後部に装着されるカバー（ストレインリリーフとも呼ばれる）８０とから成る。なお、このケーブル側コネクタ２の以下の説明においては、前側は基板側コネクタ１と嵌合する側、後側はその反対側と定義する。
【００２１】
メスハウジング５０は、図１及び図２に示すように、基板側コネクタ１のハウジング本体部１１の嵌合穴１１ａの内部に嵌まる嵌合ブロック部５１と、その外周に、オスハウジング１０のハウジング本体部１１の周壁が挿入される挿入溝５２を介して設けられた外装フード部５３とを有するものである。嵌合ブロック部５１にはメス端子６０の挿入される端子挿入孔５４が形成され、外装フード部５３には、オスハウジング１０とメスハウジング５０が適正に嵌合した際、オスハウジング１０のロック突起１６にロックすることで嵌合状態を保持するロックアーム５６が設けられている。
【００２２】
メスハウジング５０の左右両側部には、バスバープレート７０の左右のサイドバー７２が圧入されるバスバー取付スロット５５が設けられている。また、メスハウジング５０の左右両側部の外面には、カバー８０の左右側板８２が挿入される側板挿入部５８が設けられ、この側板挿入部５８には、カバー８０側のロック溝８２ａがロックするロック凸部５８ａが設けられている。また、図２に示すように、メスハウジング５０の後端面のバスバープレート７０が装着される部分より下方には、シールド付フラットケーブルＷの挟持固定のための挟持用凸部５９が設けられている。
【００２３】
メス端子６０は、図１に示すように、端子挿入孔５４に対する挿入方向の前部にオス端子との嵌合部６１を有し、端子挿入孔５４に対する挿入方向の後端に、シールド付フラットケーブルＷのフラットケーブル本体Ｗａに圧接接続されるＹ字形の圧接刃６２を有しており、図２に示すように、メスハウジング５０の端子挿入孔５４に収容された状態で、メスハウジング５０の後端面から圧接刃６２が露出するようになっている。
【００２４】
図１に示すように、バスバープレート７０は、帯板をコ字状に曲げた形状のもので、メスハウジング５０の後端面に押し当てられる中央バー７１と、その中央バー７１の左右両端から前方に延びて、メスハウジング５０のバスバー取付スロット５５に後方から圧入される一対のサイドバー７２とを有している。中央バー７１の後面には、図２に示すように、シールド付フラットケーブルＷのシールド部材（編組やアルミ箔など）Ｗｂとの接触導通性を良くするための接触凸部７３が設けられている。また、図１に示すように、サイドバー７２には、前端の近い位置に、基板側コネクタ１のペグ２０との接触導通性を良くするための押圧凸部７４が設けられ、その後側に、バスバー取付スロット５５にサイドバー７２を圧入した際に、バスバー取付スロット５５の内壁に食い込むことで、圧入による固定強度を確保する圧入凸部７５が設けられている。このバスバープレート７０は、アース回路に接続されるものである。
【００２５】
カバー８０は、実装した時に主にシールド付フラットケーブルＷとメス端子６０の圧接接続部分に力がかからないようにするためのもので、図１及び図３に示すように、中央のカバー本体部８１と、その左右両側部から前方に延出して、メスハウジング５０にカバー８０を装着するときにメスハウジング５０の側板挿入部５８に挿入される一対の左右側板８２とを有する。また、このカバー本体部８１の内面には、ケーブル固定部として、カバー８０がメスハウジング５０に装着された際に、メスハウジング５０との間にシールド付フラットケーブルＷの電線被覆Ｗｃの付いた部分を挟持固定するケーブル挟持用凸部８４が設けられている。また、圧接刃６２に対応する位置には、圧接の支障にならないように逃げ穴８９が設けられている。
【００２６】
一対の左右側板８２には、メスハウジング５０にカバー８０を適正に装着したときに、メスハウジング５０側のロック凸部５８ａにロックするロック溝８２ａが形成されている。
【００２７】
また、このケーブル側コネクタ２が取り付けられるシールド付フラットケーブルＷは、図４（ａ）から図４（ｃ）に示すように、信号線（信号導体）Ｗａ１の周囲を絶縁体Ｗａ２で覆ったフラットケーブル本体Ｗａの外側を、編組やアルミ箔などのシールド部材Ｗｂで覆い、更にその外側を電線被覆Ｗｃで覆った屈曲自在のフレキシブルフラットケーブルであり、信号線Ｗａ１が一定間隔で互いに平行に並んでいる。そして、電線被覆Ｗｃ及びシールド部材Ｗｂを除去して露出したフラットケーブル本体Ｗａの信号線Ｗａ１の位置に、メス端子６０の後端に設けた圧接刃６２を食い込ませることで、内部の信号線Ｗａ１とメス端子６０とを圧接接続させることができるものである。
【００２８】
次に組み付けの仕方及び利用の仕方について述べる。
基板側コネクタ１を組み立てる場合は、まず、オスハウジング１０にオス端子１８を圧入すると共に、ペグ２０をオスハウジング１０のペグ取付スロット１３に圧入する。基板側コネクタ１を回路基板３に固定する場合は、図８及び図９に示すように、オスハウジング１０の固定ブロック部１２の後端面（下端面）を回路基板３上に載せると共に、各オス端子１８の突出端を端子用スルーホール４に挿入し、ペグ２０の先端側をペグ用スルーホール５に挿入する。この状態で半田付けすることにより、基板側コネクタ１を回路基板３に固定することででき、同時に、各オス端子１８をそれぞれの回路に接続することができると共に、ペグ２０をアース回路に接続することができる。
【００２９】
一方のケーブル側コネクタ２を組み立てるには、まず、メスハウジング５０の端子挿入孔５４にメス端子６０を挿入固定する（あるいは圧入する）。また、バスバープレート７０のサイドバー７２を、メスハウジング５０に形成したバスバー取付スロット５５に圧入する。このとき、図２に示すように、メス端子６０とバスバープレート７０は互いに非接触な状態に保たれている。
【００３０】
次に図４（ａ）から図４（ｃ）に示すように、シールド付フラットケーブルＷの端末を処理する。第１実施形態のコネクタを使用する場合には、電線被覆Ｗｃを適当寸法だけ除去して、除去した先にシールド部材Ｗｂを適当寸法だけ露出させる。また、シールド部材Ｗｂを適当寸法だけ除去して、除去した先にフラットケーブル本体Ｗａ（信号線Ｗａ１と絶縁体Ｗａ２から成る部分）を適当寸法だけ露出させる。
【００３１】
そして、このシールド付フラットケーブルＷの端末処理部を、先にメスハウジング５０の後部に装着したバスバープレート７０の中央バー７１の上に被せるように配置し、その後側から図５及び図６に示すように、カバー８０をメスハウジング５０の後部に押し付け力を加えながら装着し、カバー８０の左右側板８２のロック溝８２ａを、メスハウジング５０側のロック凸部５８ａにロックさせる。
【００３２】
そうすると、シールド付フラットケーブルＷの端末処理部、メス端子６０の圧接刃６２、及びバスバープレート７０がメスハウジング５０の後端面とカバー８０との間に介在した状態で、メスハウジング５０の後端面がカバー８０によって覆われる。このカバー８０を装着する際の押圧動作により、図７に示すように、電線被覆Ｗｃ及びシールド部材Ｗｂが除去されたフラットケーブル本体Ｗａの信号線Ｗａ１の位置にメス端子６０の圧接刃６２が食い込み、メス端子６０と信号線Ｗａ１が圧接接続される。また、カバー８０の装着により、シールド付フラットケーブルＷから露出したシールド部材Ｗｂがバスバープレート７０に押圧接触する。
【００３３】
また、カバー８０の装着により、図６に示すように、ケーブル固定部として設けられたケーブル挟持用凸部８４と、メスハウジング５０の後端面の挟持用凸部５９との間に、シールド付フラットケーブルＷの電線被覆Ｗｃが付いた部分が挟持固定される。
【００３４】
そして、図８及び図９に示すように、このように構成したケーブル側コネクタ２を基板側コネクタ１に嵌合することで、フラットケーブルを回路基板３に電気接続することができる。この際、ケーブル側コネクタ２のバスバープレート７０のサイドバー７２が基板側コネクタ１のペグ２０の基端側の外側面に摺動して接触導通することにより、シールド付フラットケーブルＷのシールド部材Ｗｂを、バスバープレート７０及びペグ２０を介して回路基板３のアース回路に接続することができる。
【００３５】
以上のように、このコネクタ装置におけるケーブル側コネクタ２によれば、メスハウジング５０にカバー８０を装着するという一つの作業を行うだけで、メス端子６０と信号線Ｗａ１の接続、バスバープレート７０とシールド部材Ｗｂの接続を同時に一括して行うことができる。従って、ケーブル側コネクタ２とシールド付フラットケーブルＷの接続作業の工数を大幅に減らすことができる。
【００３６】
また、シールド部材Ｗｂは、カバー８０の装着時に、メスハウジング５０の後端面に装着したバスバープレート（ＧＮＤ用部材に相当）７０に接触するので、カバー８０の装着前にシールド付フラットケーブルＷのシールド部材Ｗｂを露出させておくだけでよく、構成を単純化することができる。
【００３７】
また、シールド部材Ｗｂをバスバープレート７０に接触させる部分でシールド付フラットケーブルＷに固定力を及ぼすことが可能である上、その部分とは別に、カバー８０に設けたケーブル固定部（ケーブル挟持用凸部８４）によってシールド付フラットケーブルＷの電線被覆Ｗｃが付いた部分を保持固定することができるので、フラットケーブル本体Ｗａとメス端子６０の圧接接続部分に無用な外力が及ぶのを極力防ぐことができる。
【００３８】
なお、バスバープレート７０にシールド部材Ｗｂを押圧接触させる部分で、十分に強力なケーブル挟持力が得られる場合は、カバー８０によってシールド部材Ｗｂを押圧する部分を、ケーブル挟持部（ケーブル固定部）として機能させ、前記ケーブル挟持用凸部８４を省略することもできる。
【００３９】
＜第２実施形態＞
次に本発明の第２実施形態について説明する。
図１０〜図１７は第２実施形態の説明図で、図１０は第２実施形態のコネクタを含むコネクタ装置の分解斜視図、図１１は第２実施形態のコネクタのコネクタハウジングにバスバーと端子を組み付けた状態を背面から見て示す斜視図、図１２はコネクタの構成部品であるカバーの斜視図、図１３（ａ）から図１３（ｃ）はコネクタで使用するシールド付フラットケーブルの端末処理部の構成を示す斜視図で、図１３（ａ）は外観図、図１３（ｂ）はその一部拡大図、図１３（ｃ）は上方から見た図、図１４は図１１で示したコネクタハウジングの後端面にカバーを装着してコネクタを完成させた状態を示す断面図、図１５は図１４のＸＶ部の拡大図、図１６は第２実施形態のコネクタを接続相手側の基板側コネクタに接続した状態を示す外観斜視図、図１７は図１６の状態を示す縦断面図である。
【００４０】
図１０に示すコネクタ装置は、互いに嵌合する基板側コネクタ（レセプタクル）１と第２実施形態のケーブル側コネクタ１０２とから成る。基板側コネクタ１の構成は第１実施形態と同様であり、第２実施形態のケーブル側コネクタ１０２は、メスハウジング１５０とカバー１８０の構成が第１実施形態のケーブル側コネクタ２と異なるだけで、他の構成要素は第１実施形態と同様である。従って第１実施形態と同様の構成要素には同符号を付して説明を省略する。
【００４１】
図２に示すように、このメスハウジング１５０の後端面には、挟持用凸部５９（図２参照）は設けられていない。その理由は、シールド付フラットケーブルＷの電線被覆Ｗｃの付いている部分を挟持固定する部分が、メスハウジング１５０の後端面ではないからである。そのため、メスハウジング１５０の下半部の寸法が第１実施形態のメスハウジング５０より短縮されている。それ以外の点は、第１実施形態のメスハウジング５０と同様である。
【００４２】
カバー１８０は、図１２に示すように、中央のカバー本体部（第１のカバー体）１８１と、その左右両側部から前方に延出して、メスハウジング１５０にカバー１８０を装着するときにメスハウジング５０の側板挿入部５８に挿入される一対の左右側板１８２と、ヒンジ１８５を介してカバー本体部１８１に連結された補助カバー（第２のカバー体）１８６と、から成る。カバー本体部１８１と左右側板１８２と補助カバー１８６とヒンジ１８５は、樹脂により一体成形されている。
【００４３】
補助カバー１８６は、カバー本体部１８１の後部にヒンジ８５を介して連結されており、シールド付フラットケーブルＷの圧接後に、図１５に示すように、カバー本体部１８１の下部に合体されることで、シールド付フラットケーブルＷの電線被覆Ｗｃの付いた部分を、カバー本体部１８１と補助カバー１８６との間に挟持固定するものであり、カバー本体部１８１の下面と補助カバー１８６の上面とでケーブル挟持部（ケーブル固定部）１９０が構成されている。
【００４４】
カバー本体部１８１は、第１実施形態と同様に、シールド付フラットケーブルＷ、メス端子６０の圧接刃６２、及びバスバープレート７０をメスハウジング１５０の後端面との間に介在させた状態で、メスハウジング１５０の後端面を覆うようにメスハウジング１５０に装着される。そして、装着時の押圧力により、シールド付フラットケーブルＷの信号線Ｗａ１を絶縁体Ｗａ２を貫通する圧接刃６２に圧接させ、シールド付フラットケーブルＷから露出したシールド部材Ｗｂをバスバープレート７０に接触させる役目を果たす。
【００４５】
一対の左右側板１８２には、メスハウジング１５０にカバー本体部１８１を適正に装着したときに、メスハウジング１５０側のロック凸部５８ａにロックするロック溝１８２ａが形成されている。また、カバー本体部１８１の左右側面には、ヒンジ１８５を曲げて補助カバー１８６をカバー本体部１８１の下面に合体させたときに、補助カバー１８６側の係合突起１８７と係合するロック板１８３が設けられている。
【００４６】
次に組み付けの仕方及び利用の仕方について述べる。
ケーブル側コネクタ１０２を組み立てるには、まず、メスハウジング１５０にメス端子６０及びバスバープレート７０を装着する。
【００４７】
次に図１３（ａ）から図１３（ｃ）に示すように、シールド付フラットケーブルＷの端末を処理する。第２実施形態のコネクタを使用する場合には、電線被覆Ｗｃを第１実施形態の場合よりも長めに除去して、除去した先にシールド部材Ｗｂを適当寸法だけ露出させる。また、シールド部材Ｗｂを適当寸法だけ除去して、除去した先にフラットケーブル本体Ｗａ（信号線Ｗａ１と絶縁体Ｗａ２から成る部分）を適当寸法だけ露出させる。
【００４８】
そして、このシールド付フラットケーブルＷの端末処理部を、先にメスハウジング１５０の後部に装着したバスバープレート７０の中央バー７１の上に被せるように配置し、その後側から図１４及び図１５に示すように、カバー本体部１８１をメスハウジング１５０の後部に押し付け力を加えながら装着し、カバー本体部１８１の左右側板１８２のロック溝１８２ａを、メスハウジング１５０側のロック凸部５８ａにロックさせる。
【００４９】
そうすると、シールド付フラットケーブルＷの端末処理部、メス端子６０の圧接刃６２、及びバスバープレート７０がメスハウジング１５０の後端面とカバー８０との間に介在した状態で、メスハウジング１５０の後端面がカバー本体部１８１によって覆われる。このカバー本体部１８１を装着する際の押圧動作により、電線被覆Ｗｃ及びシールド部材Ｗｂが除去されたフラットケーブル本体Ｗａの信号線Ｗａ１の位置にメス端子６０の圧接刃６２が食い込み、メス端子６０と信号線Ｗａ１が圧接接続される。また、カバー本体部１８１の装着により、図１５に示すように、シールド付フラットケーブルＷから露出したシールド部材Ｗｂがバスバープレート７０に押圧接触する。
【００５０】
次にヒンジ１８５を曲げて補助カバー１８６をカバー本体部１８１に合体させ、補助カバー１８６とカバー本体部１８１との間にシールド付フラットケーブルＷの電線被覆Ｗｃの付いた部分を挟むことで、フラットケーブル本体Ｗａとメス端子６０の圧接接続部分に無用な外力が及ばないようにすることができる。
【００５１】
そして、図１６及び図１７に示すように、このように構成したケーブル側コネクタ１０２を基板側コネクタ１に嵌合することで、シールド付フラットケーブルＷを回路基板３に電気接続することができる。この際、ケーブル側コネクタ１０２のバスバープレート７０のサイドバー７２が基板側コネクタ１のペグ２０の基端側の外側面に摺動して接触導通することにより、シールド付フラットケーブルＷのシールド部材Ｗｂを、バスバープレート７０及びペグ２０を介して回路基板３のアース回路に接続することができる。
【００５２】
以上のように、このコネクタ装置におけるケーブル側コネクタ１０２によれば、メスハウジング１５０にカバー本体部１８１を装着するという一つの作業を行うだけで、メス端子６０と信号線Ｗａ１の接続、バスバープレート７０とシールド部材Ｗｂの接続を同時に一括して行うことができる。従って、ケーブル側コネクタ１０２とシールド付フラットケーブルＷの接続作業の工数を大幅に減らすことができる。
【００５３】
また、シールド部材Ｗｂは、カバー本体部１８１の装着時に、メスハウジング１５０の後端面に装着したバスバープレート（ＧＮＤ用部材に相当）７０に接触するので、カバー本体部１８１の装着前にシールド付フラットケーブルＷのシールド部材Ｗｂを露出させておくだけでよく、構成を単純化することができる。
【００５４】
また、カバー本体部１８１と補助カバー１８６との間に設けたケーブル挟持部でシールド付フラットケーブルＷの電線被覆Ｗｃが付いた部分を保持固定することができるので、フラットケーブル本体Ｗａとメス端子６０の圧接接続部分に無用な外力が及ぶのを極力防ぐことができる。
【００５５】
また、本実施形態では、カバー本体部１８１と補助カバー１８６をヒンジ１８５を介して連結しているので、カバー本体部１８１と補助カバー１８６を１部品として成形することができて１部品として取り扱うことができる。
【００５６】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５７】
例えば、上記第１実施形態及び第２実施形態の説明においては、シールド付フラットケーブルＷの端末処理を行う際に、電線被覆Ｗｃを末端から所定寸法の範囲にわたり全周皮むきする場合を示しているが、半周皮むきするように構成することも可能である。
【００５８】
図１８（ａ）及び図１８（ｂ）は電線被覆Ｗｃを半周皮むきして半体だけ残す場合を示しており、図１８（ａ）は皮むきする前の状態の側面図及び断面図、図１８（ｂ）は皮むきした状態を示す側面図及び各部の断面図である。
【００５９】
この例では、シールド付フラットケーブルＷの電線被覆Ｗｃを、シールド付フラットケーブルＷの厚み方向においてバスバープレート７０とシールド部材Ｗｂを接触させる側の半体Ｗｓだけ切除して、その反対側の半体Ｗｔを圧接刃６２が圧接する位置まで残しておく。しかも、圧接刃６２が圧接する位置のシールド部材Ｗｂは除去し（この部分は空所Ｗｄとなる）、バスバープレート７０と接触させる部分でシールド部材Ｗｂを露出させておく。
【００６０】
このように端末処理したシールド付フラットケーブルＷをバスバープレート７０の後面に重ねる。そして、シールド付フラットケーブルＷ、メス端子６０の圧接刃６２、及びバスバープレート７０をメスハウジング５０、１５０の後端面との間に介在させた状態で、メスハウジング５０、１５０の後端面を覆うようにメスハウジング５０、１５０にカバー本体部８１、１８１を装着し、装着時の押圧力により、圧接刃６２をフラットケーブル本体Ｗａの絶縁体Ｗａ２及び電線被覆Ｗｃの半体Ｗｔを貫通させて信号線Ｗａ１に圧接接続し、且つ、シールド付フラットケーブルＷから露出したシールド部材Ｗｂをバスバープレート７０に接触させ、その状態で、カバー８０、１８０に設けたケーブル固定部（ケーブル挟持用凸部８４やケーブル挟持部１９０）によりシールド付フラットケーブルＷを保持固定する。
【００６１】
このように構成したケーブル側コネクタ２、１０２とシールド付フラットケーブルＷの接続構造によれば、圧接刃６２が信号線Ｗａ１に圧接する部分に電線被覆Ｗｃの半体Ｗｔを残しているので、圧接刃６２が、絶縁体Ｗａ２及び電線被覆の半体Ｗｔに同時に突き刺さることになり、圧接刃６２とシールド付フラットケーブルＷの結合が強固になる。
【符号の説明】
【００６２】
Ｗ  シールド付フラットケーブル
Ｗａ１  信号線
Ｗａ２  絶縁体
Ｗｂ  シールド部材
Ｗｃ  電線被覆
Ｗｓ  切除する半体
Ｗｔ  残す半体
２，１０２  ケーブル側コネクタ（コネクタ）
５０，１５０  メスハウジング（コネクタハウジング）
６０  端子
６２  圧接刃
７０  バスバープレート（バスバー）
８０  カバー
８４  ケーブル挟持用凸部（ケーブル固定部、ケーブル挟持部）
１８０  カバー
１８１  カバー本体部（第１のカバー体）
１８５  ヒンジ部
１８６  補助カバー（第２のカバー体）
１９０  ケーブル挟持部
【図１】
2014203714.tif 000003
【図２】
2014203714.tif 000004
【図３】
2014203714.tif 000005
【図４】
2014203714.tif 000006
【図５】
2014203714.tif 000007
【図６】
2014203714.tif 000008
【図７】
2014203714.tif 000009
【図８】
2014203714.tif 000010
【図９】
2014203714.tif 000011
【図１０】
2014203714.tif 000012
【図１１】
2014203714.tif 000013
【図１２】
2014203714.tif 000014
【図１３】
2014203714.tif 000015
【図１４】
2014203714.tif 000016
【図１５】
2014203714.tif 000017
【図１６】
2014203714.tif 000018
【図１７】
2014203714.tif 000019
【図１８】
2014203714.tif 000020